(57)【要約】【課題】同軸ケーブルのアンテナ特性の劣化を抑制できるとともに、同軸ケーブルを筐体の内部に効率的に固定することができる携帯無線装置を提供する。【解決手段】第１ケース２２と第２ケース２１とが組み合わされて構成され、第１ケース２２に設けられ第２ケース２１側に延びる第１リブ２２１を有する筐体２と、アンテナと、筐体２の内部に設けられる回路基板と、第２ケース２１の内側に設けられる基準電位部２５と、筐体２の内部に設けられ、内部導体と内部絶縁体と外部導体と外部絶縁体とを有し、露出する外部導体から露出導体部１３５が形成され、内部導体を介してアンテナと回路基板とを電気的に接続する同軸ケーブル１００と、を備え、第１リブ２２１は、露出導体部１３５が基準電位部２５に直接的に又は導体からなる接続部材１５０を介して押し付けられるように同軸ケーブル１００を押圧する。【選択図】図１３
2010258826.tif 000002
【特許請求の範囲】
【請求項１】
第１ケースと第２ケースとが組み合わされて構成され、前記第１ケースに設けられ前記第２ケース側に延びる第１リブを有する筐体と、
アンテナと、
前記筐体の内部に設けられる回路基板と、
前記第２ケースの内側に設けられる基準電位部と、
前記筐体の内部に設けられ、内部導体と、該内部導体を被覆する内部絶縁体と、該内部絶縁体の外周側に設けられる外部導体と、該外部導体を被覆する外部絶縁体とを有し、該外部絶縁体に被覆されずに露出する前記外部導体から露出導体部が形成され、前記内部導体を介して前記アンテナと前記回路基板とを電気的に接続する同軸ケーブルと、を備え、
前記第１リブは、前記露出導体部が前記基準電位部に直接的に又は導体からなる接続部材を介して押し付けられるように、前記同軸ケーブルを押圧する携帯無線装置。
【請求項２】
前記第１ケースの前記第１リブは、少なくとも２個設けられ、前記同軸ケーブルの長手方向における前記露出導体部を挟んだ両側にて、前記外部絶縁体を押圧する請求項１に記載の携帯無線装置。
【請求項３】
前記第２ケースは、板金部材が樹脂部材にインサート成形されて形成され、
前記回路基板は、前記板金部材に導通される基準電位ラインを含み、
前記基準電位部は、前記板金部材からなる請求項１又は２に記載の携帯無線装置。
【請求項４】
前記筐体は、バッテリを収容するバッテリ収容部の内壁を形成する第２リブを有し、
前記同軸ケーブルの前記露出導体部は、前記筐体の周壁と前記第２リブとの間に配置され、
前記バッテリは、前記バッテリ収容部に収容された状態において前記第２リブを前記周壁側に押圧する請求項１から３のいずれか１項に記載の携帯無線装置。
【請求項５】
前記バッテリは、正極端子と、負極端子と、該正極端子及び該負極端子を露出させた状態で低温低圧成形により形成される樹脂部とを有し、当該樹脂部により前記第２リブを押圧する請求項４に記載の携帯無線装置。
【発明の詳細な説明】
【技術分野】
【０００１】
本発明は、携帯電話機などの携帯無線装置に関する。
【背景技術】
【０００２】
携帯無線装置としての携帯電話機においては、筐体の薄型化や小型化（例えば、厚み方向と直交する面方向の小型化）が進んでいる。例えば、主回路基板（筐体の内部の回路基板のうち最大の回路基板）の面方向の大きさを筐体の面方向の大きさの半分程度に設計し、主回路基板が配置されていない領域における筐体の厚みを薄くすることが行われている。
一方、携帯無線装置としての携帯電話機においては、例えば前述のような主回路基板の小型化に伴って、無線通信を行うためのメインアンテナが筐体における主回路基板から離れた位置に配置されることがある。その場合には、主回路基板とメインアンテナとを同軸ケーブルにより電気的に導通させる必要がある。
【０００３】
同軸ケーブルは、内部導体と、内部導体を被覆する内部絶縁体と、内部絶縁体の外周側に設けられる外部導体と、外部導体を被覆する外部絶縁体と、を有している。同軸ケーブルにおいては、その両端部それぞれにおいて、内部導体を介して主回路基板又はメインアンテナに電気的に接続されると共に、同軸ケーブルにおけるアンテナ特性の劣化を更に抑制するために、同軸ケーブルの両端部それぞれにおいて、外部導体を介して基準電位部に電気的に接続される。
【０００４】
また、同軸ケーブルにおけるアンテナ特性の劣化を更に抑制するには、同軸ケーブルの途中部分において、同軸ケーブルの外部導体と筐体の内部に設けられる基準電位部とを電気的に接続させることが好ましい（例えば、特許文献１参照）。特許文献１に記載の技術においては、同軸ケーブルの外部絶縁体を除去した部分に導電性円筒材を設け、筐体を導電性材料から形成して基準電位部として機能させ、筐体における導電性円筒材に対応する場所に筐体と一体化されたスリット部を設ける技術が記載されている。
特許文献１に記載の技術によれば、同軸ケーブルに設けられた導電性円筒材をスリット部に挿入することで、同軸ケーブルの途中部分において同軸ケーブルの外部導体と基準電位部としての筐体とを電気的に接続させることができる。
【先行技術文献】
【特許文献】
【０００５】
【特許文献１】特開２００９−６０３０２号公報
【発明の概要】
【発明が解決しようとする課題】
【０００６】
しかし、特許文献１に記載の技術によれば、同軸ケーブルを筐体の内部に固定する過程において、同軸ケーブルに設けられた導電性円筒材をスリット部に挿入する作業を行う必要があり、そのため、同軸ケーブルを筐体の内部に固定する作業が繁雑であるという問題点がある。
前述の問題点は、携帯電話機以外の携帯無線装置においても同様に発生する場合がある。
【０００７】
従って、本発明は、同軸ケーブルのアンテナ特性の劣化を抑制できるとともに、同軸ケーブルを筐体の内部に効率的に固定することができる携帯無線装置を提供することを目的とする。
【課題を解決するための手段】
【０００８】
本発明は、第１ケースと第２ケースとが組み合わされて構成され、前記第１ケースに設けられ前記第２ケース側に延びる第１リブを有する筐体と、アンテナと、前記筐体の内部に設けられる回路基板と、前記第２ケースの内側に設けられる基準電位部と、前記筐体の内部に設けられ、内部導体と、該内部導体を被覆する内部絶縁体と、該内部絶縁体の外周側に設けられる外部導体と、該外部導体を被覆する外部絶縁体とを有し、該外部絶縁体に被覆されずに露出する前記外部導体から露出導体部が形成され、前記内部導体を介して前記アンテナと前記回路基板とを電気的に接続する同軸ケーブルと、を備え、前記第１リブは、前記露出導体部が前記基準電位部に直接的に又は導体からなる接続部材を介して押し付けられるように、前記同軸ケーブルを押圧する携帯無線装置に関する。
【０００９】
また、前記第１ケースの前記第１リブは、少なくとも２個設けられ、前記同軸ケーブルの長手方向における前記露出導体部を挟んだ両側にて、前記外部絶縁体を押圧することが好ましい。
【００１０】
また、前記第２ケースは、板金部材が樹脂部材にインサート成形されて形成され、前記回路基板は、前記板金部材に導通される基準電位ラインを含み、前記基準電位部は、前記板金部材からなることが好ましい。
【００１１】
また、前記筐体は、バッテリを収容するバッテリ収容部の内壁を形成する第２リブを有し、前記同軸ケーブルの前記露出導体部は、前記筐体の周壁と前記第２リブとの間に配置され、前記バッテリは、前記バッテリ収容部に収容された状態において前記第２リブを前記周壁側に押圧することが好ましい。
【００１２】
また、前記バッテリは、正極端子と、負極端子と、該正極端子及び該負極端子を露出させた状態で低温低圧成形により形成される樹脂部とを有し、当該樹脂部により前記第２リブを押圧することが好ましい。
【発明の効果】
【００１３】
本発明によれば、同軸ケーブルのアンテナ特性の劣化を抑制できるとともに、同軸ケーブルを筐体の内部に効率的に固定することができる携帯無線装置を提供することができる。
【図面の簡単な説明】
【００１４】
【図１】本発明の一実施形態の携帯電話機１を開状態で示す斜視図である。
【図２】本発明の一実施形態の携帯電話機１を閉状態で示す斜視図である。
【図３】操作部側筐体２に内蔵される部品を示す分解斜視図である。
【図４】リアケース２２を分離させた状態の操作部側筐体２をフロントケース２１の内側から視た部分斜視図である。
【図５】主回路基板７０を第１面７０ａ側から視た平面図である。
【図６】リアケース２２を分離させた状態の操作部側筐体２をフロントケース２１の内側から視た部分斜視図である。
【図７】図６に示す状態から、同軸ケーブル１００及びメインアンテナ８０をフロントケース２１から分離させた状態を示す部分斜視図である。
【図８Ａ】同軸ケーブル１００を示す正面図である。
【図８Ｂ】同軸ケーブル１００の断面を示す斜視図である。
【図８Ｃ】図８Ａに示すＡ−Ａ線断面図である。
【図８Ｄ】図８Ａに示すＢ−Ｂ線断面図である。
【図９】フロントケース２１を分離させた状態の操作部側筐体２をリアケース２２の内側から視た部分斜視図である。
【図１０】図９に示す状態から、同軸ケーブル１００をリアケース２２から分離させた状態を示す部分斜視図である。
【図１１】バッテリ２３０を示す斜視図である。
【図１２】バッテリリッド２３を外した状態の操作部側筐体２をリアケース２２の外側から視た部分斜視図である。
【図１３】図１２に示すＣ−Ｃ線で切断した部分断面図である。
【図１４】図１３に示すＤ−Ｄ線で切断した部分断面図である。
【図１５】図１４に示すバッテリ収容部２７にバッテリ２３０を収容した状態を示す部分断面図である。
【発明を実施するための形態】
【００１５】
以下、本発明の実施形態について、図面を参照しながら説明する。まず、本発明の携帯無線装置の一実施形態である携帯電話機１の基本構造について、図１及び図２を参照しながら説明する。図１は、本発明の一実施形態の携帯電話機１を開状態で示す斜視図である。図２は、本発明の一実施形態の携帯電話機１を閉状態で示す斜視図である。
【００１６】
図１及び図２に示すように、本実施形態の携帯電話機１は、折り畳み型の携帯電話機１であって、略直方体形状の筐体としての操作部側筐体２と、略直方体形状の表示部側筐体３と、操作部側筐体２と表示部側筐体３とを連結する連結部４と、を備える。
【００１７】
操作部側筐体２の上端部と表示部側筐体３の下端部とは、連結部４を介して開閉可能に連結される。つまり、連結部４は、表示部側筐体３と操作部側筐体２とを開閉軸を中心に開閉可能に連結する。携帯電話機１は、連結部４を介して連結された操作部側筐体２と表示部側筐体３とが相対的に回転（回動）されることにより、操作部側筐体２と表示部側筐体３とが互いに開いた状態（開状態、図１参照）や、操作部側筐体２と表示部側筐体３とが折り畳まれた状態（閉状態、図２参照）に変形される。
【００１８】
本実施形態の各構成部材の説明においては、携帯電話機１を図２に示す折り畳まれた状態とした場合に、連結部４からその反対側に向かう方向を「第１方向Ｄ１」といい、第１方向Ｄ１及び厚み方向Ｄ３と直交する方向を「第２方向Ｄ２」という。
また、第１方向Ｄ１のうち、連結部４からその反対側に向かう方向を「先端方向Ｄ１１」といい、先端方向Ｄ１１の反対方向を「基端方向Ｄ１２」という。厚み方向Ｄ３のうち、操作部側筐体２から表示部側筐体３に向かう方向を「前面方向Ｄ３１」といい、前面方向Ｄ３１の反対方向を「背面方向Ｄ３２」という。第２方向Ｄ２のうち、携帯電話機１を背面方向Ｄ３２に視た場合における左方向及び右方向をそれぞれ「左方向Ｄ２１」及び「右方向Ｄ２２」という。
【００１９】
まず、操作部側筐体２について説明する。図１及び図２に示すように、操作部側筐体２は、外郭を形成する第２ケースとしてのフロントケース２１、フロントカバー２４及び第１ケースとしてのリアケース２２を備える。フロントケース２１及びフロントカバー２４は、操作部側筐体２の前面２ａ側を構成する。操作部側筐体２の前面２ａは、携帯電話機１が折り畳まれた状態で表示部側筐体３と向かい合う面である。リアケース２２は、操作部側筐体２における前面２ａと反対側の面である背面２ｂ側を構成する。
【００２０】
フロントケース２１は、前面２ａの外周部分を構成する。フロントケース２１は、板金部材２５が樹脂部材２６にインサート成形されて形成される。この外周部分よりも内側の部分（内側部分）は、主として、板金部材２５における露出部分から形成され、背面２ｂ側に凹んでいる。
【００２１】
フロントカバー２４は、フロントケース２１の前記内側部分を塞ぐように配置される。フロントカバー２４は、操作キー群１１が前面２ａに露出するように構成される。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、を有する。
【００２２】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーがユーザにより押圧されることで、各キーに割り当てられている機能に応じた動作が実行される。
【００２３】
操作部側筐体２の前面２ａには、携帯電話機１のユーザが通話時に発した音声が入力される音声入力部１２が配置される。音声入力部１２は、操作部側筐体２の長手方向における連結部４とは反対側の端部（下端部）の近傍に配置される。
【００２４】
操作部側筐体２の側面には、例えば、外部機器（例えば、ホスト装置）とデータの送受信を行うためのインターフェースや、ヘッドホン／マイク端子、着脱可能な外部メモリのインターフェースや、バッテリを充電するための充電端子等が設けられる。
操作部側筐体２の内部構造については、後述する。
【００２５】
次に、表示部側筐体３について説明する。図１及び図２に示すように、表示部側筐体３は、外郭を形成するフロントケース３０ａ、カバー部材３３及びリアケース３０ｂを備える。フロントケース３０ａ及びカバー部材３３は、表示部側筐体３の前面３ａ側を構成する。表示部側筐体３の前面３ａは、携帯電話機１が折り畳まれた状態で操作部側筐体２と向かい合う面である。リアケース３０ｂは、表示部側筐体３における前面３ａと反対側の面である背面３ｂ側を構成する。
【００２６】
フロントケース３０ａには、通話の相手側における音声を出力する音声出力部３１が配置される。音声出力部３１は、表示部側筐体３の長手方向における連結部４とは反対の端部側に配置される。
【００２７】
メイン液晶モジュール３４の一方の面（フロントケース３０ａ側の面）には、メイン表示部３４ａが設けられ、このメイン表示部３４ａには、各種情報が表示される。メイン表示部３４ａは、全部又は一部が透明なカバー部材３３を介して、表示部側筐体３の前面３ａ側から視認可能となっている。
【００２８】
メイン液晶モジュール３４は、液晶パネルと、液晶パネルを駆動する駆動回路と、液晶パネルの背面側から光を照射するバックライトとを有する。
【００２９】
続けて、図３から図１５を参照しながら、操作部側筐体２の内部構造について説明する。図３は、操作部側筐体２に内蔵される部品を示す分解斜視図である。図４は、リアケース２２を分離させた状態の操作部側筐体２をフロントケース２１の内側から視た部分斜視図である。図５は、主回路基板７０を第１面７０ａ側から視た平面図である。図６は、リアケース２２を分離させた状態の操作部側筐体２をフロントケース２１の内側から視た部分斜視図である。図７は、図６に示す状態から、同軸ケーブル１００及びメインアンテナ８０をフロントケース２１から分離させた状態を示す部分斜視図である。
【００３０】
図３及び図４に示すように、操作部側筐体２は、フロントカバー２４と、キー構造部４０と、キー基板５０と、フロントケース２１と、シールドケース６０と、回路基板としての主回路基板７０と、リアケース２２と、バッテリ２３０と、バッテリリッド２３と、メインアンテナ８０と、アンテナ用基板９０と、同軸ケーブル１００と、を備える。
【００３１】
フロントケース２１は、金属製の板金部材２５と、板金部材２５の一部を覆う樹脂部材２６とが、インサート成形により一体的に成形されて構成される。
樹脂部材２６は、主として、フロントケース２１の外周部分を枠状に形成する。
板金部材２５は、主として、フロントケース２１における枠状の樹脂部材２６の内側の部分を形成する。詳細には、板金部材２５の第１面２５ａは、フロントケース２１におけるキー基板５０と対向する側の面を構成する。板金部材２５の第２面２５ｂは、シールドケース６０、リアケース２２、バッテリ２３０などと対向する側の面を構成する。
板金部材２５は、操作部側筐体２の内部における基準電位部としても機能する。
【００３２】
フロントカバー２４は、フロントケース２１における枠状の樹脂部材２６に囲まれて形成される凹状領域を塞ぐように配置される。また、フロントケース２１とリアケース２２とは、互いの凹状の内側面が向き合うように配置され、互いの外周縁が重なり合うようにして結合される。
【００３３】
キー構造部４０及びキー基板５０は、フロントカバー２４と、フロントケース２１における板金部材２５の第１面２５ａとの間に挟まれるようにして内蔵される。また、シールドケース６０及び主回路基板７０は、フロントケース２１における板金部材２５の第２面２５ｂとリアケース２２との間に挟まれるようにして内蔵される。
即ち、操作部側筐体２においては、バッテリリッド２３、バッテリ２３０、リアケース２２、主回路基板７０、シールドケース６０、板金部材２５、キー基板５０、キー構造部４０及びフロントカバー２４が、この順で積層されている。
【００３４】
フロントカバー２４には、携帯電話機１の閉状態において表示部側筐体３のメイン表示部３４ａと対向する内側面に、キー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出する。
【００３５】
図５に示すように、主回路基板７０には、メインアンテナ８０が送受信する信号を処理する信号処理部を含む複数の電子部品７１が配置される。これらの電子部品７１は、所定の組み合わせにより複数の回路ブロックを形成する。例えば、主回路基板７０には、ＲＦ（Ｒａｄｉｏ  Ｆｒｅｑｕｅｎｃｙ）回路、電源回路等を含む各種回路ブロックが形成される。
【００３６】
主回路基板７０におけるシールドケース６０側の第１面７０ａには、実装される複数の電子部品７１の他、基準電位ラインとしての基準電位パターン層７５が形成される。基準電位パターン層７５は、主回路基板７０の第１面７０ａの表面に導電性の部材を所定パターンで印刷することで形成される。また、この基準電位パターン層７５は、後述のシールドケース６０のリブ部６１が設けられる位置に形成される。
【００３７】
主回路基板７０は、第１方向Ｄ１において操作部側筐体２の内部における基端方向Ｄ１２側（連結部４側）の約半分の領域に配置される。つまり、操作部側筐体２の内部における先端方向Ｄ１１側（連結部４とは反対側）の約半分の領域には、主回路基板７０は配置されていない。
シールドケース６０も、第１方向Ｄ１において主回路基板７０と同様に配置されている。
【００３８】
このような主回路基板７０及びシールドケース６０が配置されていない領域に、バッテリ収容部２７が配置される。バッテリ収容部２７は、バッテリ２３０を操作部側筐体２に装着する際に、バッテリ２３０を収容する部位である。バッテリ収容部２７の構成の詳細については、後述する。
バッテリ収容部２７は、第１方向Ｄ１において操作部側筐体２の内部における先端方向Ｄ１１側（連結部４とは反対側）の約半分の領域に配置される。換言すると、主回路基板７０及びシールドケース６０とバッテリ収容部２７とは、第１方向Ｄ１に直列的に配列している。
【００３９】
図３から図５に示すように、主回路基板７０におけるバッテリ収容部２７側（先端方向Ｄ１１側）の端縁部には、端子台７２が配設されている。端子台７２におけるバッテリ収容部２７側の面には、第１給電端子７２ａと、第２給電端子７２ｂと、判別端子７２ｄとが設けられている。第１給電端子７２ａ、第２給電端子７２ｂ及び判別端子７２ｄの基端部は、絶縁体からなる端子台本体７２ｃに収容される。
【００４０】
バッテリ２３０がバッテリ収容部２７に収容されて装着された状態において、第１給電端子７２ａは正極端子２３１に接触し、第２給電端子７２ｂは負極端子２３２に接触し、判別端子７２ｄは判別電極端子２３４に接触する（詳細は後述）。
第１給電端子７２ａ、第２給電端子７２ｂ及び判別端子７２ｄは、弾性を有する金属片などから構成され、バッテリ収容部２７に向けて付勢力を発生可能に、端子台本体７２ｃから突出して設けられる。
【００４１】
主回路基板７０におけるバッテリ収容部２７側の端縁部近傍の第１面７０ａには、第２接続部材７３が設けられる。第２接続部材７３は、主回路基板７０の基準電位パターン層７５とフロントケース２１の板金部材２５とを電気的に接続させるための部材である。図４に示すように、第２接続部材７３は、弾性を有する金属片などから構成され、板金部材２５に向けて付勢力を発生可能に、主回路基板７０の第１面７０ａから板金部材２５に向けて（前面方向Ｄ３１に）突出して設けられる。
基準電位パターン層７５は、板金部材２５と電気的に導通して板金部材２５と同じ大きさの電位を有するようになる。
【００４２】
図４に示すように、主回路基板７０の第２面７０ｂ（第１面７０ａの反対面）には、第１接続端子７４が設けられる。第１接続端子７４は、第２面７０ｂにおける先端方向Ｄ１１側の端縁部近傍で且つ右方向Ｄ２２側の端縁部近傍に位置する。第１接続端子７４には、同軸ケーブル１００の第１コネクタ１６１（後述）が接続される。
【００４３】
主回路基板７０において、第１接続端子７４は、図示しない配線を介して所定の電子部品７１に接続される。これにより、主回路基板７０の上に搭載された電子部品７１から発信される高周波信号は、同軸ケーブル１００及びアンテナ用基板９０を介してメインアンテナ８０に伝送される。また、メインアンテナ８０で受信された高周波信号は、アンテナ用基板９０及び同軸ケーブル１００を介して、主回路基板７０上に搭載された電子部品７１に伝送される。
【００４４】
シールドケース６０は、主回路基板７０の第１面７０ａにおいて複数の電子部品７１を囲んで配置されるリブ部６１と、このリブ部６１における主回路基板７０から離れた側の端部（前面方向Ｄ３１側の端部）に固定され、複数の電子部品７１を覆う平板部６２と、を備える。
【００４５】
リブ部６１は、主回路基板７０の第１面７０ａに形成された基準電位パターン層７５上に配置される。このリブ部６１は、主回路基板７０に実装される各種電子部品のうち最も高い電子部品の高さと同等又はそれよりも高くなるように形成される。
リブ部６１及び平板部６２は、板金部材をプレス加工することにより一体的に形成される。平板部６２は、主回路基板７０の第１面７０ａ側を、リブ部６１と共に囲んで覆う。
【００４６】
シールドケース６０は、リブ部６１の先端側が基準電位パターン層７５に当接されることで、基準電位パターン層７５と電気的に接続される。シールドケース６０は、基準電位パターン層７５と電気的に導通して基準電位パターン層７５と同じ大きさの電位を有するようになる。従って、シールドケース６０は、板金部材２５とも同じ大きさの電位を有するようになる。
【００４７】
シールドケース６０は、外部からの高周波等のノイズが主回路基板７０に配置される複数の電子部品７１に作用するのを抑制する。具体的には、シールドケース６０におけるリブ部６１の底面が基準電位パターン層７５の上に配置されることで、複数の電子部品７１は、リブ部６１により囲われると共に平板部６２により覆われる。これにより、外部からの高周波等のノイズが主回路基板７０に配置される電子部品７１に作用するのを抑制できる。
【００４８】
キー基板５０は、複数の絶縁層（絶縁フィルム）の間に配線を挟み込んで形成されるフレキシブル基板である。キー基板５０は、フロントケース２１を構成する板金部材２５の第１面２５ａ側（前面方向Ｄ３１側）に配置される。
【００４９】
キー基板５０は、機能設定操作キー１３、入力操作キー１４及び決定操作キー１５にそれぞれ対応してキー構造部４０側に形成される複数のキースイッチ５１、５２、５３を備える。キースイッチ５１、５２、５３は、椀状に湾曲して立体的に形成された金属板のメタルドームを有する。メタルドームは、その椀状形状の頂点が押圧されると、キー基板５０の表面に印刷された電気回路（図示せず）に形成されるスイッチ端子に接触して、電気的に導通するように構成される。
【００５０】
キー構造部４０は、キー基板５０の前面方向Ｄ３１側に対向して配置される。換言すると、キー構造部４０は、キー基板５０を挟んで、板金部材２５とは反対側に配置される。キー構造部４０は、複数のキースイッチ５１、５２、５３を押圧可能な押し子と、操作キー群１１の押圧面を有するキートップとが、弾性を有するシリコンゴム等で構成された基体シートに設けられて構成される。キー構造部４０における操作キー群１１を構成する機能設定操作キー１３、入力操作キー１４及び決定操作キー１５は、キー基板５０におけるキースイッチ５１、５２、５３と対向する位置に配置されると共に、フロントカバー２４に形成されるキー孔１３ａ、１４ａ、１５ａから露出するように配置される。
【００５１】
メインアンテナ８０は、基台上に所定形状のアンテナエレメント（図示せず）が設けられることにより構成される。メインアンテナ８０は、操作部側筐体２の内部における連結部４とは反対側（先端方向Ｄ１１側）の端部に配置される。メインアンテナ８０のアンテナエレメントは、帯状の板金により形成される。また、メインアンテナ８０は、同軸ケーブル１００及びアンテナ用基板９０を介して主回路基板７０から給電される。これにより、アンテナエレメントは、主回路基板７０のＲＦモジュール等と接続される。
【００５２】
図６及び図７に示すように、アンテナ用基板９０は、メインアンテナ８０の近傍に配置され、同軸ケーブル１００とメインアンテナ８０とを電気的に接続させるための回路基板である。アンテナ用基板９０は、基板部９１と、第２接続端子９２とを備える。第２接続端子９２は、基板部９１におけるリアケース２２側（背面方向Ｄ３２側）の第２面９１ｂに設けられる。第２接続端子９２には、同軸ケーブル１００の第２コネクタ１６２（図示せず）が接続される。アンテナ用基板９０によれば、同軸ケーブル１００とメインアンテナ８０とを電気的に接続することができる。
操作部側筐体２における連結部４とは反対（先端方向Ｄ１１）側の端部において、リアケース２２、メインアンテナ８０、アンテナ用基板９０及びフロントケース２１は、この順で積層される。
【００５３】
図３に示すように、リアケース２２の一端側（先端方向Ｄ１１側）には、取り外し可能なバッテリリッド２３が設けられている。バッテリリッド２３は、バッテリ２３０をバッテリ収容部２７にリアケース２２の外側から収納した後、リアケース２２に装着される。また、リアケース２２における一端側には、ユーザの音声を入力する音声入力部１２のマイク（図示せず）が収容される。
【００５４】
次に、同軸ケーブル１００について説明する。図８Ａは、同軸ケーブル１００を示す正面図である。図８Ｂは、同軸ケーブル１００の断面を示す斜視図である。図８Ｃは、図８Ａに示すＡ−Ａ線断面図である。図８Ｄは、図８Ａに示すＢ−Ｂ線断面図である。図９は、フロントケース２１を分離させた状態の操作部側筐体２をリアケース２２の内側から視た部分斜視図である。図１０は、図９に示す状態から、同軸ケーブル１００をリアケース２２から分離させた状態を示す部分斜視図である。
【００５５】
図８Ａから図８Ｄに示すように、同軸ケーブル１００は、内部導体１１０と、内部導体１１０を被覆する内部絶縁体１２０と、内部絶縁体１２０の外周側に設けられる外部導体１３０と、外部導体１３０を被覆する外部絶縁体１４０とを有する。内部絶縁体１２０及び外部絶縁体１４０は、ポリエチレン等の弾性変形可能な材料から構成されている。そのため、同軸ケーブル１００は、全体として弾性変形可能となっている。
【００５６】
同軸ケーブル１００においては、外部絶縁体１４０が部分的に設けられておらず、そのため、外部導体１３０の一部が露出する。この露出する外部導体１３０から、露出導体部１３５が形成される。露出導体部１３５の近傍には、導体からなる接続部材としてのクランプ部材１５０が設けられる。クランプ部材１５０は、露出導体部１３５の一部又は全域を締め付けることで、外部導体１３０のみに固定されるか、あるいは外部導体１３０及び外部絶縁体１４０に跨って固定される。
【００５７】
クランプ部材１５０は、露出導体部１３５に締め付けることで、外部導体１３０等と固定することができれば、特に制限されない。本実施形態におけるクランプ部材１５０は、Ｃ形状（ほぼ円環状で、一部が非連続の形状）の断面を有する略円筒状の金属部材からなる。Ｃ形状のクランプ部材１５０は、例えば、露出導体部１３５を覆うようにクランプ部材１５０を配置した後、クランプ部材１５０をかしめて変形させることで、外部導体１３０などに固定することができる。クランプ部材１５０を外部導体１３０に固定することで、外部導体１３０とクランプ部材１５０とが電気的に接続される。
【００５８】
同軸ケーブル１００における一方の端部には、第１コネクタ１６１が設けられる。第１コネクタ１６１は、主回路基板７０における第１接続端子７４に接続される。
同軸ケーブル１００における他方の端部には、第２コネクタ１６２が設けられる。第２コネクタ１６２は、アンテナ用基板９０における第２接続端子９２が接続される。
【００５９】
図６、図７、図９及び図１０に示すように、同軸ケーブル１００は、内部導体１１０を介してメインアンテナ８０と主回路基板７０とを電気的に接続する。同軸ケーブル１００は、操作部側筐体２の内部に設けられる。詳細には、同軸ケーブル１００は、操作部側筐体２の右方向Ｄ２２の周壁（右第１方向周壁２１１Ｂなど。詳細は後述）に沿って、主としてバッテリ収容部２７に対応する領域に亘って配設される。
【００６０】
操作部側筐体２における「周壁」とは、操作部側筐体２を厚み方向Ｄ３に視た場合における周縁部を形成する壁部を意味する。周壁は、操作部側筐体２を厚み方向Ｄ３に視た場合に、操作部側筐体２の内部空間（バッテリ収容部２７など）と外部空間とを区画する。
なお、フロントケース２１及びリアケース２２に対しても、「周壁」を操作部側筐体２と同様に用いる。
【００６１】
次に、同軸ケーブル１００の露出導体部１３５と基準電位部としての板金部材２５との電気的接続に関する構成について説明する。図１１は、バッテリ２３０を示す斜視図である。図１２は、バッテリリッド２３を外した状態の操作部側筐体２をリアケース２２の外側から視た部分斜視図である。図１３は、図１２に示すＣ−Ｃ線で切断した部分断面図である。図１４は、図１３に示すＤ−Ｄ線で切断した部分断面図である。図１５は、図１４に示すバッテリ収容部２７にバッテリ２３０を収容した状態を示す部分断面図である。
【００６２】
図６、図７、図９及び図１０に示すように、フロントケース２１の内側には、右第１方向周壁２１１Ｂと、接続突起部２５１と、第２リブ２６２と、第３リブ２６３と、第４リブ２６４と、第５リブ２６５とが設けられている。右第１方向周壁２１１Ｂ、第２リブ２６２、第３リブ２６３、第４リブ２６４及び第５リブ２６５は、フロントケース２１の樹脂部材２６から形成される。接続突起部２５１は、フロントケース２１の板金部材２５から形成される。
【００６３】
右第１方向周壁２１１Ｂは、操作部側筐体２の周壁の一部を構成するものであり、フロントケース２１の周壁のうち第１方向Ｄ１に沿って延びると共に、右方向Ｄ２２側に位置する。
【００６４】
接続突起部２５１は、板金部材２５の第２面２５ｂにおける右第１方向周壁２１１Ｂの近傍に設けられる。接続突起部２５１は、板金部材２５の第２面２５ｂからリアケース２２側（背面方向Ｄ３２側）に突出する。接続突起部２５１は、例えば、板金部材２５をプレス加工により形成する際に同時に形成され、板金部材２５の他の部分と一体的に形成される。接続突起部２５１は、クランプ部材１５０を介して同軸ケーブル１００の露出導体部１３５に接続する。従って、接続突起部２５１は、同軸ケーブル１００の露出導体部１３５（クランプ部材１５０）と対応する位置に配置される。
【００６５】
第２リブ２６２及び第３リブ２６３は、板金部材２５の第２面２５ｂからリアケース２２側（背面方向Ｄ３２側）に突出する。詳細には、板金部材２５における第２リブ２６２及び第３リブ２６３が設けられる位置には、第１面２５ａと第２面２５ｂとに亘って貫通する貫通孔２５２（図１４には、第２リブ２６２に対応する貫通孔２５２を示す）が形成されており、インサート成形により樹脂部材２６を成形する際に、板金部材２５の第１面２５ａ側から第２面２５ｂ側に溶融した樹脂を流通させることにより、形成することができる。
【００６６】
第２リブ２６２は、第２方向Ｄ２における右第１方向周壁２１１Ｂとの間で、接続突起部２５１を挟むように設けられる。換言すると、接続突起部２５１は、第２方向Ｄ２において右第１方向周壁２１１Ｂと第２リブ２６２との間に配置される。従って、右第１方向周壁２１１Ｂと第２リブ２６２との間に同軸ケーブル１００の露出導体部１３５（クランプ部材１５０）を配置させることで、クランプ部材１５０を介して同軸ケーブル１００の露出導体部１３５を接続突起部２５１に接触させて、露出導体部１３５と板金部材２５とを電気的に接続させることが可能となる。
【００６７】
第３リブ２６３は、板金部材２５の第２面２５ｂにおける右第１方向周壁２１１Ｂの近傍に、複数個配置される。第３リブ２６３は、第２方向Ｄ２において、第２リブ２６２よりも右第１方向周壁２１１Ｂに近接している。また、第３リブ２６３の高さ（同軸ケーブル１００に向かう方向の高さ、厚み方向Ｄ３の高さ）は、接続突起部２５１の高さ（同軸ケーブル１００のクランプ部材１５０に向かう方向の高さ、厚み方向Ｄ３の高さ）と略同じである。そのため、図６及び図７に示すように、第２方向Ｄ２において、同軸ケーブル１００は、右第１方向周壁２１１Ｂと第２リブ２６２との間に配置されると共に、第３リブ２６３と重なる位置に配置される。
【００６８】
第４リブ２６４は、右第１方向周壁２１１Ｂにおける左方向Ｄ２１側の内面に設けられる。第４リブ２６４は、バッテリ収容部２７に向けて左方向Ｄ２１側に突出する。第４リブ２６４は、第１方向Ｄ１に所定間隔で離間して複数個設けられる。図７に示すように、複数個の第４リブ２６４のうちの２個の第４リブ２６４Ａは、第１方向Ｄ１において、操作部側筐体２の内部における所定の位置に配置された同軸ケーブル１００における接続突起部２５１を挟むように配置される。
これにより、同軸ケーブル１００は、第２方向Ｄ２において、第２リブ２６２と、右第１方向周壁２１１Ｂ又は第４リブ２６４との間に挟まれて配置される。
【００６９】
第５リブ２６５は、右第１方向周壁２１１Ｂにおける左方向Ｄ２１側の内面に設けられる。第５リブ２６５は、バッテリ収容部２７に向けて左方向Ｄ２１側に突出する。第５リブ２６５は、第１方向Ｄ１において第２リブ２６２とは反対側（基端方向Ｄ１２側）に配置される。第５リブ２６５は、厚み方向Ｄ３において、操作部側筐体２の内部における所定の位置に配置された同軸ケーブル１００に対して、リアケース２２側（背面方向Ｄ３２側）に配置される。
これにより、同軸ケーブル１００は、厚み方向Ｄ３において、第３リブ２６３と第５リブ２６５との間に挟まれて配置される。
【００７０】
このように、同軸ケーブル１００が第２方向Ｄ２に第２リブ２６２と右第１方向周壁２１１Ｂ又は第４リブ２６４との間に挟まれ、厚み方向Ｄ３に第３リブ２６３と第５リブ２６５との間に挟まれると共に、第１コネクタ１６１が主回路基板７０の第１接続端子７４に接続され、第２コネクタ１６２がアンテナ用基板９０の第２接続端子９２に接続されることにより、同軸ケーブル１００は、操作部側筐体２の内部において、右第１方向周壁２１１Ｂに近接して沿うと共に、板金部材２５の第２面２５ｂに近接した状態で、規制される（維持される）。
【００７１】
次に、リアケース２２側について説明する。図９及び図１０に示すように、リアケース２２には、背面２ｂから前面２ａに向けて（つまり、前面方向Ｄ３１側に向けて）突出するリア側収容部内壁形成リブ群２７０が設けられる。リア側収容部内壁形成リブ群２７０は、厚み方向Ｄ３に視た場合にほぼ矩形状のバッテリ収容部２７に対応して、ほぼ矩形周状に形成される。リア側収容部内壁形成リブ群２７０は、バッテリ収容部２７の内壁の大部分を形成する。
【００７２】
リア側収容部内壁形成リブ群２７０の一部は、第１リブ２２１を構成する。詳述すると、第１リブ２２１は、矩形周状のリア側収容部内壁形成リブ群２２０のうちの右方向Ｄ２２側において第１方向Ｄ１に延びる１辺に、２個形成される。２個の第１リブ２２１は、第１方向Ｄ１に離間して配置され、同軸ケーブル１００に向けて（フロントケース２１に向けて）突出する。換言すると、２個の第１リブ２２１は、操作部側筐体２の内部における所定の位置に配置された同軸ケーブル１００に対して、背面方向Ｄ３２側に位置する。
【００７３】
２個の第１リブ２２１及び同軸ケーブル１００を厚み方向Ｄ３に視た場合において、２個の第１リブ２２１は、第１方向Ｄ１（同軸ケーブル１００の長手方向でもある）に露出導体部１３５を挟んだ両側に配置する。露出導体部１３５には、クランプ部材１５０が取り付けられているので、２個の第１リブ２２１は、第１方向Ｄ１にクランプ部材１５０を挟んだ両側に配置することになる。
【００７４】
次に、バッテリ２３０について説明する。バッテリ２３０は、携帯電話機１に装着されて、携帯電話機１に電力の供給を行うもので、携帯電話機１に備えられた電気要素に対する電力供給源として機能する二次電池である。
【００７５】
図１１に示すように、バッテリ２３０は、図示しない電池セルと、電池セルの正極及び負極にそれぞれ導通し、バッテリ２３０の表面に露出する正極端子２３１及び負極端子２３２と、正極端子２３１及び負極端子２３２と共にバッテリ２３０の表面に露出する判別電極端子２３４と、樹脂部２３３と、を備える。
【００７６】
樹脂部２３３は、正極端子２３１、負極端子２３２及び判別電極端子２３４を露出させた状態で電池セルを覆って形成される。樹脂部２３３の形成材料としては、例えば、合成樹脂系の材料が挙げられる。樹脂部２３３は、フロントケース２１やリアケース２２を構成するＡＢＳ（アクリロニトリル・ブタジエン・スチレン）樹脂などの樹脂によりも柔軟な、例えば、ポリアミド樹脂などを用い、低温低圧成形にて形成することができる。
バッテリ２３０がバッテリ収容部２７に収容された状態において、正極端子２３１、負極端子２３２及び判別電極端子２３４は、それぞれ端子台７２における第１給電端子７２ａ、第２給電端子７２ｂ、判別端子７２ｄ接触して導通可能な状態となる。
【００７７】
バッテリ２３０は、略直方体形状であり、操作部側筐体２のバッテリ収容部２７に収容された状態において、その長手方向、幅方向及び厚み方向は、それぞれ操作部側筐体２における第１方向Ｄ１、第２方向Ｄ２及び厚み方向Ｄ３と一致する。
【００７８】
バッテリ２３０の樹脂部２３３は、バッテリ２３０がバッテリ収容部２７に収容された状態において第２リブ２６２に対応する位置に、装着方向規制凹部２３３Ａを備える。装着方向規制凹部２３３Ａは、バッテリ２３０における先端方向Ｄ１１側の端部近傍で且つ右方向Ｄ２２側の端部近傍に設けられ、左方向Ｄ２１側に凹んでいる。装着方向規制凹部２３３Ａは、バッテリ収容部２７に対してバッテリ２３０が装着される方向を規制するために設けられる。つまり、第２リブ２６２と装着方向規制凹部２３３Ａとを対応させてバッテリ２３０をバッテリ収容部２７に装着させる場合のみ、バッテリ２３０をバッテリ収容部２７に収容することができる。
なお、図６及び図７には、バッテリ２３０の形状を仮想線（２点鎖線）にて示してある。
【００７９】
換言すると、フロントケース２１の第２リブ２６２は、第２方向Ｄ２において、バッテリ収容部２７に収容されたバッテリ２３０における装着方向規制凹部２３３Ａに対向する。また、第２リブ２６２は、バッテリ収容部２７の内壁を、リア側収容部内壁形成リブ群２７０と共に形成する。
【００８０】
次に、リアケース２２とフロントケース２１とが組み合われた状態について説明する。
図１２から図１４に示すように、リアケース２２とフロントケース２１とが組み合われた状態において、露出導体部１３５が板金部材２５の接続突起部２５１にクランプ部材１５０を介して押し付けられるように、２個の第１リブ２２１は、厚み方向Ｄ３（前面方向Ｄ３１）に同軸ケーブル１００を押圧することになる。
また、図１４及び図１５に示すように、バッテリ２３０の樹脂部２３３がバッテリ収容部２７に収容された状態において、特に装着方向規制凹部２３３Ａが第２リブ２６２に圧着されることとなり、樹脂部２３３は、第２リブ２６２を右第１方向周壁２１１Ｂ側に押圧することとなる。
【００８１】
以上の説明の通り、リアケース２２とフロントケース２１とが組み合われた状態において、同軸ケーブル１００は、厚み方向Ｄ３において、接続突起部２５１、第３リブ２６３第５リブ２６５と、第１リブ２２１を含むリア側収容部内壁形成リブ群２７０との間に配置される。そして、同軸ケーブル１００の露出導体部１３５は、クランプ部材１５０を介して、基準電位部である板金部材２５の接続突起部２５１に電気的に接続される。
また、同軸ケーブル１００は、第２方向Ｄ２において、第２リブ２６２と右第１方向周壁２１１Ｂ又は第４リブ２６４との間に挟まれ、第２方向Ｄ２の移動が規制される。
【００８２】
本実施形態の携帯電話機１によれば、以下に示す各効果が奏される。
本実施形態の携帯電話機１においては、リアケース２２に設けられフロントケース２１側に延びる第１リブ２２１は、露出導体部１３５が基準電位部である板金部材２５にクランプ部材１５０を介して押し付けられるように、同軸ケーブル１００を押圧している。そのため、同軸ケーブル１００が適切な位置（例えば、クランプ部材１５０が接続突起部２５１に対向した位置）に配置された状態において、フロントケース２１とリアケース２２とを組み合わせると、第１リブ２２１によりクランプ部材１５０が板金部材２５（詳細には接続突起部２５１）に押し付けられることになる。
【００８３】
従って、本実施形態によれば、メインアンテナ８０と主回路基板７０とを内部導体１１０を介して電気的に接続し且つ同軸ケーブル１００の途中部分において外部導体１３０と操作部側筐体２の内部の基準電位部である板金部材２５とを電気的に接続させる同軸ケーブル１００を備える携帯電話機１において、同軸ケーブル１００の固定及び外部導体１３０と基準電位部である板金部材２５との確実な接触を図ることができる。そのため、同軸ケーブル１００のアンテナ特性の劣化を抑制できるとともに、同軸ケーブル１００を操作部側筐体２の内部に効率的に固定することができる。
【００８４】
また、本実施形態の携帯電話機１においては、リアケース２２の第１リブ２２１は、２個設けられ、同軸ケーブル１００の長手方向（第１方向Ｄ１とほぼ一致する）における露出導体部１３５（クランプ部材１５０）を挟んだ両側にて、外部絶縁体１４０を押圧している。そのため、同軸ケーブル１００には、その長手方向を直線状に復元しようとする弾性力が生じる。従って、クランプ部材１５０（外部導体１３０）に板金部材２５に接近する方向の弾性力が、同軸ケーブル１００に発生しやすい。その結果、クランプ部材１５０（外部導体１３０）と板金部材２５との接触圧力を向上できる。
【００８５】
また、本実施形態の携帯電話機１においては、操作部側筐体２は、バッテリ２３０を収容するバッテリ収容部２７の内壁を形成する第２リブ２６２を有する。同軸ケーブル１００の露出導体部１３５は、操作部側筐体２の周壁（右第１方向周壁２１１Ｂ）と第２リブ２６２との間に配置される。バッテリ２３０は、バッテリ収容部２７に収容された状態において、第２リブ２６２を右第１方向周壁２１１Ｂ側に押圧する。そのため、同軸ケーブル１００における第２方向Ｄ２の移動を規制することができる。これにより、同軸ケーブル１００におけるアンテナ特性を向上させることができる。
【００８６】
なお、同軸ケーブル１００と操作部側筐体２の右第１方向周壁２１１Ｂとの間には、多少の第２方向Ｄ２の移動を許容するクリアランス（隙間）を有していることが好ましい。同軸ケーブル１００の第２方向Ｄ２の移動が全く許容されていないと、クランプ部材１５０（露出導体部１３５）と板金部材２５（基準電位部）との接触が不良となりやすいためである。
【００８７】
また、本実施形態の携帯電話機１においては、低温低圧成形により形成されるバッテリ２３０の樹脂部２３３により第２リブ２６２を押圧している。低温低圧成形により形成される樹脂部２３３は、ある程度の柔軟性を有するため、第２リブ２６２を弾性力を有して押圧することができ、同軸ケーブル１００に過剰な負荷を与えることを抑制することができる。
【００８８】
また、本実施形態の携帯電話機１においては、有効的に利用されることが少ないバッテリ収容部２７における周囲の近傍の領域に、同軸ケーブル１００を配置している。そのため、操作部側筐体２の内部のスペースを有効に活用することができる。
【００８９】
以上、本発明の一実施形態について説明したが、本発明は、前述した実施形態に制限されるものではなく、適宜変更が可能である。
例えば、前記実施形態においては、リアケース２２から第１ケースが構成され、フロントケース２１から第２ケースが構成されているが、これに制限されず、フロントケース２１から第１ケースが構成され、リアケース２２から第２ケースが構成されていてもよい。
【００９０】
本発明は、操作部側筐体２に制限されず、表示部側筐体３に適用することができる。
クランプ部材１５０などの接続部材を介さずに、同軸ケーブル１００の露出導体部１３５を直接的に、基準電位部である板金部材２５に押し付けるようにしてもよい。
基準電位部は、板金部材２５に制限されず、他の部材から構成してもよい。
同軸ケーブル１００とメインアンテナ８０とは、アンテナ用基板９０を介さずに、直接的に接続させることができる。
【００９１】
本発明は、メインアンテナ８０以外のアンテナにも適用することができる。
本発明は、主回路基板７０以外の回路基板にも適用することができる。
板金部材２５に設けられる同軸ケーブル１００に接続される部分は、接続突起部２５１に制限されない。
【００９２】
また、本発明の携帯無線装置は、前記実施形態のような折り畳み式ではなく、操作部側筐体２と表示部側筐体３とを重ね合わせた状態から一方の筐体を一方向にスライドさせるようにしたスライド式の携帯無線装置であってもよい。また、本発明の携帯無線装置は、操作部側筐体２と表示部側筐体３との重ね合せ方向に沿う軸線を中心に一方の筐体を回転させるようにした回転式（ターン式）の携帯電子機器であってもよい。
【００９３】
本発明は、携帯電話機以外の携帯無線装置に適用することができる。携帯電話機以外の携帯無線装置としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコンが挙げられる。
【符号の説明】
【００９４】
１  携帯電話機（携帯無線装置）
２  操作部側筐体（筐体）
３  表示部側筐体
４  連結部
２１  フロントケース（第２ケース）
２２  リアケース（第１ケース）
２５  板金部材（基準電位部）
２６  樹脂部材
２７  バッテリ収容部
７５  基準電位パターン層（基準電位ライン）
７０  主回路基板（回路基板）
８０  メインアンテナ（アンテナ）
１００  同軸ケーブル
１１０  内部導体
１２０  内部絶縁体
１３０  外部導体
１３５  露出導体部
１４０  外部絶縁体
１５０  クランプ部材（接続部材）
２１１Ｂ  右第１方向周壁（周壁）
２２１  第１リブ
２３０  バッテリ
２３１  正極端子
２３２  負極端子
２３３  樹脂部
２６２  第２リブ
【図１】
2010258826.tif 000003
【図２】
2010258826.tif 000004
【図３】
2010258826.tif 000005
【図４】
2010258826.tif 000006
【図５】
2010258826.tif 000007
【図６】
2010258826.tif 000008
【図７】
2010258826.tif 000009
【図８Ａ】
2010258826.tif 000010
【図８Ｂ】
2010258826.tif 000011
【図８Ｃ】
2010258826.tif 000012
【図８Ｄ】
2010258826.tif 000013
【図９】
2010258826.tif 000014
【図１０】
2010258826.tif 000015
【図１１】
2010258826.tif 000016
【図１２】
2010258826.tif 000017
【図１３】
2010258826.tif 000018
【図１４】
2010258826.tif 000019
【図１５】
2010258826.tif 000020